(57)【要約】【課題】  利便性を高め、かつ機能数の増加を可能とした多機能家具を提供する。【解決手段】  フレーム枠２、及びフレーム枠２に支持された第１板部３と第２板部４とを具える。第１板部３は、フレーム枠２の内側の第１基準位置Ｐ１とフレーム枠２の外側の第１移動位置Ｑ１との間を、側方に向かってスライド移動可能に支持される。第２板部４は、少なくとも第１基準位置Ｐ１における第１板部３の上方に、間隔を隔てて重なる第２基準位置Ｐ２にて支持される。【選択図】図２
2020081070.tif 000002
【特許請求の範囲】
【請求項１】
テーブル状の基準フレームを有するフレーム枠、及び前記フレーム枠に支持された第１板部と第２板部とを具え、
前記第１板部は、前記基準フレームの内側の第１基準位置と前記基準フレームの外側の第１移動位置との間を、側方に向かって水平にスライド移動可能に支持され、
前記第２板部は、少なくとも前記第１基準位置における前記第１板部の上方に、間隔を隔てて重なる第２基準位置にて支持される、
多機能家具。
【請求項２】
前記第２板部は、前記第２基準位置と、前記第１基準位置における前記第１板部の側方に、前記第１板部と同高さで横並びする第２移動位置との間を、前記フレーム枠に設けた支点を中心として上下に反転可能に支持される、
請求項１記載の多機能家具。
【請求項３】
前記フレーム枠は、前記基準フレームと、この基準フレームにスライド移動可能に支持される第１フレームと、前記基準フレームに前記支点で反転可能に支持される第２フレームとを含み、
前記第１板部は、前記第１フレームに取り付き、かつ前記第２板部は、前記第２フレームに取り付く、
請求項２記載の多機能家具。
【請求項４】
前記第１板部が前記第１移動位置に位置し、かつ前記第２板部が前記第２基準位置に位置した状態において、
前記第２板部の下方には、椅子及び前記椅子に着座する使用者が、干渉しないで前後に移動可能な空間が形成されている、
請求項１〜３の何れかに記載の多機能家具。
【請求項５】
前記基準フレームは、左右両側に配される一対の側フレーム部と、前記側フレーム部間を、前後方向の中央部にて継ぐ連結材とを含む、
請求項３又は４記載の多機能家具。
【請求項６】
前記第１フレームは、前記連結材上にスライド移動可能に載置される水平な移動枠と、前記移動枠の一方の側縁部から垂下しかつ下端部に転動可能なローラを設けた脚部とを含み、
前記第１板部は、前記移動枠に取り付く、
請求項５に記載の多機能家具。
【請求項７】
前記第２板部の前縁部から前記連結材までの範囲に、前記空間が形成される、
請求項５又は６記載の多機能家具。 
【発明の詳細な説明】
【技術分野】
【０００１】
本発明は、例えば、机、ローテーブル、ベッド、収納具等に切り替えて使用可能な多機能家具に関する。
【背景技術】
【０００２】
例えばワンルームなどの狭い部屋において、その室内空間を有効利用するために、種々の多機能家具が提案されている。
【０００３】
例えば下記の特許文献１には、第１の位置では机として機能し、第２の位置ではベッドとして機能する多機能家具が提案されている。
【先行技術文献】
【特許文献】
【０００４】
【特許文献１】特開平０７−１１１９３０号公報
【発明の概要】
【発明が解決しようとする課題】
【０００５】
しかしこのものは、机からベッドへの変形への操作が複雑であり、かつ労力を要する。又ベッドとして使用するためには、布団などの夜具を収納する場所を別途確保する必要があるなど、利便性において改善の余地がある。又机やベッドに機能が限られるなど、機能数の点でも改善の余地が残される。
【０００６】
本発明は、利便性を高め、かつ機能数の増加を可能とした多機能家具を提供することを課題としている。
【課題を解決するための手段】
【０００７】
本発明は、多機能家具であって、テーブル状の基準フレームを有するフレーム枠、及び前記フレーム枠に支持された第１板部と第２板部とを具え、
前記第１板部は、前記基準フレームの内側の第１基準位置と前記基準フレームの外側の第１移動位置との間を、側方に向かって水平にスライド移動可能に支持され、
前記第２板部は、少なくとも前記第１基準位置における前記第１板部の上方に、間隔を隔てて重なる第２基準位置にて支持される。
【０００８】
本発明に係る多機能家具では、前記第２板部は、前記第２基準位置と、前記第１基準位置における前記第１板部の側方に、前記第１板部と同高さで横並びする第２移動位置との間を、前記フレーム枠に設けた支点を中心として上下に反転可能に支持されるのが好ましい。
【０００９】
本発明に係る多機能家具では、前記フレーム枠は、前記基準フレームと、この基準フレームにスライド移動可能に支持される第１フレームと、前記基準フレームに前記支点で反転可能に支持される第２フレームとを含み、
前記第１板部は、前記第１フレームに取り付き、かつ前記第２板部は、前記第２フレームに取り付くのが好ましい。
【００１０】
本発明に係る多機能家具では、前記第１板部が前記第１移動位置に位置し、かつ前記第２板部が前記第２基準位置に位置した状態において、
前記第２板部の下方には、椅子及び前記椅子に着座する使用者が、干渉しないで前後に移動可能な空間が形成されている、
【００１１】
本発明に係る多機能家具では、前記基準フレームは、左右両側に配される一対の側フレーム部と、前記側フレーム部間を、前後方向の中央部にて継ぐ連結材とを含むのが好ましい。
【００１２】
本発明に係る多機能家具では、前記第１フレームは、前記連結材上にスライド移動可能に載置される水平な移動枠と、前記移動枠の一方の側縁部から垂下しかつ下端部に転動可能なローラを設けた脚部とを含み、
前記第１板部は、前記移動枠に取り付くのが好ましい。
【００１３】
本発明に係る多機能家具では、前記第２板部の前縁部から前記連結材までの範囲に、前記空間が形成されるのが好ましい。
【発明の効果】
【００１４】
本発明の多機能家具では、第１板部が第１基準位置に位置し、かつ第２板部が第２基準位置に位置した第１の形態においては、第１板部と第２板部との間を、収納スペースとして使用可能である。この収納スペースでは、例えば夜具等の収納物を収納しうる。
【００１５】
又多機能家具では、第１板部上に収納物を載せたままで、この第１板部を、第１の形態から第１移動位置までスライド移動させうる（第２の形態）。この第２の形態では、第１板部が、フレーム枠の外側に移動している。そのため、第２フレームを机として使用することが可能となる。
【００１６】
又第２の形態において、第１板部上の収納物を、第２板部上に移し代えた場合には、第１板部をローテーブルとして使用することが可能となる。
【００１７】
このように本発明の多機能家具では、操作が簡単であり利便性を高めうるとともに、機能数を高めうる。
【００１８】
さらに請求項２に記載されるように構成した場合、第１の形態から、第２板部を、第２移動位置まで支点を中心として上下に反転させうる（第３の形態）。この第３の形態においては、第２板部と第１板部とが同高さで横並びすることで、ベッドとして使用することが可能となる。このとき、第１板部上には収納物（例えば夜具等）が既に載置されている。そのため利便性や機能数をさらに高めうる。
【図面の簡単な説明】
【００１９】
【図１】（ａ）は本発明の多機能家具の第１の形態を示す斜視図、（ｂ）は第２の形態を示す斜視図である。
【図２】基準フレーム、第１フレーム、第２フレームを分解して示す斜視図である。
【図３】第１の形態の多機能家具が、収納具として使用される場合を示す後方側から見た図面である。
【図４】（ａ）、（ｂ）は第２の形態の多機能家具が、机として使用される場合を示す後方側から見た図面及び側方側から見た図面である。
【図５】第２の形態の多機能家具が、ローテーブルとして使用される場合を示す後方側から見た図面である。
【図６】（ａ）、（ｂ）は第３の形態の多機能家具が、ベッドとして使用される場合を示す斜視図、及び後方側から見た図面である。
【発明を実施するための形態】
【００２０】
以下、本発明の実施の形態について、詳細に説明する。
図１（ａ）、（ｂ）に示すように、本実施形態の多機能家具１は、テーブル状の基準フレーム５を有するフレーム枠２、及びフレーム枠２にそれぞれ支持される第１板部３と第２板部４とを具える。
【００２１】
第１板部３は、基準フレーム５の内側の第１基準位置Ｐ１と基準フレーム５の外側の第１移動位置Ｑ１との間を、側方Ｆｘに向かって水平にスライド移動可能に支持される。本明細書では、多機能家具１を例えば机１００として使用する際の使用者に対し、左右両側の向きを側方Ｆｘ、この側方Ｆｘと直交する向きを前後方向Ｆｙと定義している。又前記第１移動位置Ｑ１は、側方Ｆｘのうちの一方の側方Ｆｘ１の側に配される。
【００２２】
第２板部４は、少なくとも第１基準位置Ｐ１における第１板部３の上方に、間隔を隔てて重なる第２基準位置Ｐ２にて支持される。本例では、図６（ａ）に示すように、第２板部４が、前記第２基準位置Ｐ２と第２移動位置Ｑ２との間を、フレーム枠２に設けた支点Ｊを中心として上下に反転可能に支持される場合が示される。なお第２移動位置Ｑ２では、第２板部４は、第１基準位置Ｐ１における第１板部３の一方の側方Ｆｘ１の側に、該第１板部３と同高さで横並びする。
【００２３】
具体的には、図２に示すように、フレーム枠２は、例えば部屋に設置される基準フレーム５と、この基準フレーム５にスライド移動可能に支持される第１フレーム６と、前記基準フレーム５に支点Ｊ回りで上下に反転可能に支持される第２フレーム７とを含む。
【００２４】
基準フレーム５は、左右両側に配される一対の側フレーム部１０Ａ、１０Ｂと、側フレーム部１０Ａ、１０Ｂ間を継ぐ連結材１１とを含む。本例では、側フレーム部１０Ａ、１０Ｂは、それぞれ、前後に配される一対の脚片１２と、脚片１２間を上端位置及び中間位置でそれぞれ継ぐ継ぎ枠片１３、１４とを含む。中間位置とは、脚片１２の上端と下端との間の任意の位置である。なお上端位置の継ぎ枠片１３は、要求により削除することができる。
【００２５】
中間位置の継ぎ枠片１４、１４間は、例えば２本の連結材１１によって連結される。連結材１１は、前後方向Ｆｙの中央部Ｃｏに配される。中央部Ｃｏとは、継ぎ枠片１４の長さ方向（前後方向Ｆｙに相当。）の中点を含む領域であり、継ぎ枠片１４の長さの１／４倍以下、さらには１／５倍以下の巾領域であるのが好ましい。
【００２６】
側フレーム部１０Ａ、１０Ｂのうちの一方の側フレーム部１０Ａは、他方の側フレーム部１０Ｂよりも高さが低い。そして、低い側の側フレーム部１０Ａに、支点Ｊが形成される。支点Ｊは、前後方向Ｆｙにのびる支持軸１５の軸心として形成される。なお支持軸１５は、側フレーム部１０Ａに、ホルダー１６を介して取り付く。支点Ｊは、側フレーム部１０Ａから一方の側方Ｆｘ１の側に離間し、かつ側フレーム部１０Ｂの上端とは実質的に同高さの位置に配される。
【００２７】
次に、第１フレーム６は、前記連結材１１上にスライド移動可能に載置される水平な移動枠１８と、この移動枠１８の一方の側縁部１８Ｅから垂下する脚部１９とを含む。移動枠１８は、略矩形状の周囲枠部１８ａと、この周囲枠部１８ａ内に架け渡される複数本の補強枠１８ｂとを具える。補強枠１８ｂは、連結材１１と交差する向き、本例では、前後方向Ｆｙにのびることにより、連結材１１上でのスライド移動を円滑化するとともに、ベッド１０３として使用する際の強度を確保する。
【００２８】
脚部１９は、移動枠１８から垂下する例えば一対の脚片１９ａと、各脚片１９ａの下端部に配される転動可能なローラ１９ｂとを具える。ローラ１９ｂとしてキャスターも好適に採用しうる。
【００２９】
次に、第２フレーム７は、基準フレーム５に、前記支点Ｊ回りで反転可能に支持される。本例の第２フレーム７は、矩形状の周囲枠２０と、周囲枠２０の一方の側縁部２０Ｅ１から略直角に突出する一対の補助枠２１とを具える。第２フレーム７は、第２基準位置Ｐ２においては、周囲枠２０の他方の側縁部２０Ｅ２が、側フレーム部１０Ｂ上に載置支持され、補助枠２１の先端が、側フレーム部１０Ａ上に載置支持される。又補助枠２１には、前記支持軸１５を枢支するホルダー１７が配される。なおホルダー１６、１７として種々の構造が採用しうる。
【００３０】
第２フレーム７は、周囲枠２０内に架け渡される複数本の補強枠２２を具える。補強枠２２は、前記補強枠１８ｂと同方向、本例では、前後方向Ｆｙにのび、ベッド１０３として使用する際の強度が確保される。
【００３１】
又第２フレーム７には、周囲枠２０の他方の側縁部２０Ｅ２から前記補助枠２１とは反対方向に突出する例えばＵ字状の突片部２３が配される。この突片部２３は、多機能家具１がベッド１０３（図６に示す）として使用する際の脚部として機能する。
【００３２】
第１フレーム６の周囲枠部１８ａの上面に、第１板部３が取り付く。第１板部３は、後述するように、多機能家具１が収納具１０１として使用する場合の収納物（例えば布団などの夜具）Ｗを載せる棚板として機能する。又第１板部３は、ローテーブル１０２として使用する場合の天板として機能する。なお第１板部３に充分な強度を持たすことで、第１板部３を周囲枠部１８ａとしても機能させることができる。この場合、周囲枠部１８ａを排除できる。
【００３３】
第２フレーム７の周囲枠２０の両面に、第２板部４が取り付く。一方の第２板部４は、後述するように、多機能家具１が机１００として使用する場合の天板として機能する。他方の第２板部４は、多機能家具１がベッド１０３として使用する場合、第１板部３と協働してベッドの床板として機能する。なお第２板部４に充分な強度を持たすことで、第２板部４を周囲枠２０としても機能させることができる。この場合、周囲枠２０を排除でき、１つの第２板部４が、机１００の天板、及びベッド１０３の床板として機能する。
【００３４】
図３には、多機能家具１が収納具１０１として使用可能な第１の形態Ｙ１が示される。この第１の形態Ｙ１は、第１板部３が第１基準位置Ｐ１に位置し、かつ第２板部４が第２基準位置Ｐ２に位置した状態である。この場合、第１板部３と第２板部４との間の間隔を、収納スペースＨ１として使用可能であり、この収納スペースＨ１では、例えば夜具等の収納物Ｗを収納しうる。
【００３５】
図４（ａ）には、多機能家具１が机１００として使用可能な第２の形態Ｙ２が示される。この第２の形態Ｙ２は、第１の形態Ｙ１を基準とし、第１板部３上に収納物Ｗを載せたままで、この第１板部３を、第１基準位置Ｐ１から第１移動位置Ｑ１までスライド移動させた状態である。この場合、第１板部３を収納物Ｗとともに、第２板部４の下から外側に移動できる。そのため、図４（ｂ）に示すように、第２板部４の下方には、第２板部４の前縁部４Ｅ１から連結材１１までの範囲に、椅子１１０及び椅子１１０に着座する使用者１１１が、干渉しないで前後に移動可能な空間Ｈ２を形成することができる。即ち、第２の形態Ｙ２においては、多機能家具１を机１００として使用しうる。
【００３６】
なお連結材１１よりも下方、かつ第２板部４の後縁部４Ｅ２と連結材１１との間のスペースＨ３は、他の収容スペースとして使用することができる。
【００３７】
要求により、第２板部４の前縁側及び後縁側の双方を机１００として使用することもできる。
【００３８】
第２の形態Ｙ２では、図５に示すように、第１板部３上の収納物Ｗを、第２板部４上に移し代えることにより、第１板部３を、ローテーブル１０２として使用することも可能である。
【００３９】
図６には、多機能家具１がベッド１０３として使用可能な第３の形態Ｙ３が示される。この第３の形態Ｙ３は、第１の形態Ｙ１を基準とし、第２板部４を、第２基準位置Ｐ２から第２移動位置Ｑ２まで、支点Ｊ回りで上下に反転させた状態である。この場合、第２板部４の上面と第１板部３の上面とが同高さで横並びすることで、ベッド１０３として使用しうる。なお第１板部３上には夜具である収納物Ｗが既に載置されているため、ベッドメーキングの一連作業を効率よく行うことができる。
【００４０】
以上、本発明の特に好ましい実施形態について詳述したが、本発明は図示の実施形態に限定されることなく、種々の態様に変形して実施しうる。
【符号の説明】
【００４１】
１  多機能家具
２  フレーム枠
３  第１板部
４  第２板部
４Ｅ１  前縁部
５  基準フレーム
６  第１フレーム
７  第２フレーム
１０Ａ、１０Ｂ  側フレーム部
１１  連結材
１８  移動枠
１８Ｅ  側縁部
１９  脚部
１９ｂ  ローラ
１１０  椅子
１１１  使用者
Ｃｏ  中央部
Ｈ２  空間
Ｊ  支点
Ｐ１  第１基準位置
Ｐ２  第２基準位置
Ｑ１  第１移動位置
Ｑ２  第２移動位置
【図１】
2020081070.tif 000003
【図２】
2020081070.tif 000004
【図３】
2020081070.tif 000005
【図４】
2020081070.tif 000006
【図５】
2020081070.tif 000007
【図６】
2020081070.tif 000008